(57)【要約】  移動通信端末ＴＲＡに着信があると、発信元の通信識別子を含む着信報告を、送信部７３０が受ける。着信報告を受けた送信部７３０は、走行情報取得部７２０により取得された走行情報を収集するとともに、着信報告に含まれる通信識別子に基づき、保持部７１０に保持されている当該通信識別子に付与されている属性情報を読み取る。そして、送信部７３０は、走行情報に基づき複数の報知部のそれぞれから着信に関連する情報が報知された場合の着信報知の気付き度及び危険度を評価する。そして、送信部７３０は、気付き度及び危険度、並びに、属性情報に含まれる着信報知の緊急度に基づいて、利用報知部を選択し、着信に関連する情報を選択された利用報知部へ送信する。利用報知部は、報知指令を受けると、着信に関する情報の報知を行う。このため、移動体の運転者に対して、移動通信端末への着信に関連する情報を適切に報知することができる。
2013098924.tif 000002
【特許請求の範囲】
【請求項１】
移動体の走行に関する走行情報を取得する走行情報取得部と；
移動通信端末に登録された通信相手の通信識別子に対応付けて、前記通信識別子により識別される通信相手の属性を付与した属性情報を保持する保持部と；
前記移動体への搭乗中に前記移動通信端末へ着信があったときに、前記着信に際して発信元の通信識別子に付与されている属性情報、及び、前記着信の時点での前記移動体の走行に関連する走行情報に基づき、前記移動体内に配置された複数の報知部の中から少なくとも１つの利用報知部を選択し、前記着信に関連する情報を前記選択された利用報知部へ送信する送信部と；
を備えることを特徴とする着信処理装置。
【請求項２】
前記属性情報には、利用者により設定された着信報知の緊急度が含まれる、ことを特徴とする請求項１に記載の着信処理装置。
【請求項３】
前記送信部は、
前記走行情報取得部による取得結果に基づいて、前記複数の報知部のそれぞれから前記着信に関連する情報が報知された場合の前記着信報知の気付き度及び危険度を評価し、
前記評価された気付き度及び危険度、並びに、前記着信報知の緊急度に基づいて、前記少なくとも１つの利用報知部を選択する、
ことを特徴とする請求項２に記載の着信処理装置。
【請求項４】
前記送信部は、前記走行情報取得部による取得結果に基づいて、前記気付き度及び前記危険度の少なくとも一方が変化したと判断した場合には、新たな少なくとも１つの利用報知部の選択を行い、前記着信に関連する情報を前記新たに選択された利用報知部へ送信する、ことを特徴とする請求項３に記載の着信処理装置。
【請求項５】
前記送信部は、前記複数の報知部のそれぞれの機能の現時点における前記着信報知以外での利用状態に更に基づいて、前記気付き度を評価する、ことを特徴とする請求項３又は４に記載の着信処理装置。
【請求項６】
前記走行情報には、前記移動体の速度が含まれ、
前記送信部は、前記移動通信端末へ着信があったときの前記移動体の速度が所定値以上の場合には、前記選択された利用報知部への前記着信に関連する情報の送信を行わず、その後、前記移動体の速度が前記所定値未満になったときに、前記選択された利用報知部へ前記着信を履歴として送信する、ことを特徴とする請求項１〜５のいずれか一項に記載の着信処理装置。
【請求項７】
前記移動体の走行地域情報を取得する走行地域情報取得部を更に備え、
前記送信部は、前記移動通信端末へ着信があったときに、前記走行地域情報取得部により取得された走行地域情報に基づき前記移動体が事故の多い地点を走行していると判断された場合には、前記選択された利用報知部への前記着信に関連する情報の送信を行わず、その後、前記移動体が前記事故の多い地点を通過したと判断されたときに、前記選択された利用報知部へ前記着信を履歴として送信する、ことを特徴とする請求項１〜６のいずれか一項に記載の着信処理装置。
【請求項８】
前記報知部は、前記着信に関連する情報を、音出力、表示出力及び振動のいずれかで報知する、ことを特徴とする請求項１〜７のいずれか一項に記載の着信処理装置。
【請求項９】
前記通信識別子は、電話番号である、ことを特徴とする請求項１〜８のいずれか一項に記載の着信処理装置。
【請求項１０】
移動通信端末に登録された通信相手の通信識別子に対応付けて、前記通信識別子により識別される通信相手の属性を付与した属性情報を保持する保持部を備える着信処理装置において使用される着信処理方法であって、
移動体の走行に関する走行情報を取得する走行情報取得工程と；
前記移動体への搭乗中に前記移動通信端末へ着信があったときに、前記着信に際して発信元の通信識別子に付与されている属性情報、及び、前記着信の時点での前記移動体の走行に関連する走行情報に基づき、前記移動体内に配置された複数の報知部の中から少なくとも１つの利用報知部を選択し、前記着信に関連する情報を前記選択された利用報知部へ送信する送信工程と；
を備えることを特徴とする着信処理方法。
【請求項１１】
請求項１０に記載の着信処理方法を演算部に実行させる、ことを特徴とする着信処理プログラム。
【請求項１２】
請求項１１に記載の着信処理プログラムが、演算部により読み取り可能に記録されている、ことを特徴とする記録媒体。
【発明の詳細な説明】
【技術分野】
【０００１】
本発明は、着信処理装置、着信処理方法、着信処理プログラム、及び、当該着信処理プログラムが記録された記録媒体に関する。
【背景技術】
【０００２】
近年、携帯電話機等の移動通信端末が普及し、自動車等の移動体の操作中に、当該移動通信端末を利用する機会が増えている。こうした移動体の操作中における移動通信端末の利用は、移動体の操作の危険をはらむ場合がある。かかる事態の発生は、交通安全上、深刻な問題である。そこで、移動体の操作中に、移動体の操作の危険を低減させた移動通信端末の利用を行うための様々な技術が提案されている。【０００３】
かかる提案技術の一つとして、移動通信端末への着信に際しての移動体操作の安全性を高める技術がある（特許文献１参照：以下、「従来例１」と呼ぶ）。この従来例１の技術では、携帯電話機の表示窓に表示される着信元情報を含む画像を撮像手段が撮像する。そして、撮像手段で撮影された画像を、運転者の前方視野内に配置されるヘッドアップディスプレイに表示するようになっている。また、移動体操作の安全性を高める提案技術の他の例として、車両停車時にのみ映像を楽しむことを可能にした表示装置が提案されている（特許文献２参照：以下、「従来例２」と呼ぶ）。
【先行技術文献】
【特許文献】
【０００４】
【特許文献１】特開２００６−２６４４１０号公報
【特許文献２】特許４８０６７３３号公報
【発明の概要】
【発明が解決しようとする課題】
【０００５】
上述した従来例１では、移動通信端末への着信の確認に際して、運転者は前方視野内に配置されたヘッドアップディスプレイを視認すればよいため、運転中の運転者の視線方向を前方に維持できる。このため、移動通信端末への着信の確認ため、運転者の視線方向を前方からそらす必要がある場合と比べると、移動体操作の安全性を高めることができる。【０００６】
しかしながら、上述した従来例１では、移動通信端末への着信があれば、常に、着信元情報を含む画像を、運転中の運転者の視野方向にあるヘッドアップディスプレイに表示する。このように、常に、当該画像をヘッドアップディスプレイに表示すると、運転者の移動体操作に対する集中度を低減させる可能性が高くなり、移動体の走行状態によっては、着信元情報を視認したために、交通事故につながる事態が生じ得る。【０００７】
また、上述した従来例２の表示装置への表示により、着信報知を行う構成を採用した場合には、映像を楽しんで視ている際に、移動通信端末への着信があると、そのたびに運転者へ着信を報知することになり、当該映像を楽しむことの妨げになってしまう。【０００８】
本発明は、上記の事情を鑑みてなされたものであり、移動体の運転者に対して、移動通信端末への着信に関連する情報を適切に報知することができる新たな着信処理装置及び着信処理方法を提供することを目的とする。
【課題を解決するための手段】
【０００９】
本発明は、第１の観点からすると、移動体の走行に関する走行情報を取得する走行情報取得部と；移動通信端末に登録された通信相手の通信識別子に対応付けて、前記通信識別子により識別される通信相手の属性を付与した属性情報を保持する保持部と；前記移動体への搭乗中に前記移動通信端末へ着信があったときに、前記着信に際して発信元の通信識別子に付与されている属性情報、及び、前記着信の時点での前記移動体の走行に関連する走行情報に基づき、前記移動体内に配置された複数の報知部の中から少なくとも１つの利用報知部を選択し、前記着信に関連する情報を前記選択された利用報知部へ送信する送信部と；を備えることを特徴とする着信処理装置である。【００１０】
本発明は、第２の観点からすると、移動通信端末に登録された通信相手の通信識別子に対応付けて、前記通信識別子により識別される通信相手の属性を付与した属性情報を保持する保持部を備える着信処理装置において使用される着信処理方法であって、移動体の走行に関する走行情報を取得する走行情報取得工程と；前記移動体への搭乗中に前記移動通信端末へ着信があったときに、前記着信に際して発信元の通信識別子に付与されている属性情報、及び、前記着信の時点での前記移動体の走行に関連する走行情報に基づき、前記移動体内に配置された複数の報知部の中から少なくとも１つの利用報知部を選択し、前記着信に関連する情報を前記選択された利用報知部へ送信する送信工程と；を備えることを特徴とする着信処理方法である。【００１１】
本発明は、第３の観点からすると、本発明の着信処理方法を演算部に実行させる、ことを特徴とする着信処理プログラムである。【００１２】
本発明は、第４の観点からすると、本発明の着信処理プログラムが、演算部により読み取り可能に記録されている、ことを特徴とする記録媒体である。
【図面の簡単な説明】
【００１３】
【図１】本発明の第１実施形態に係る着信処理装置の構成を説明するためのブロック図である。
【図２】本発明の第２実施形態に係る着信処理装置の構成を説明するためのブロック図である。
【図３】本発明の第１実施例に係る着信報知装置の構成を概略的に説明するためのブロック図である。
【図４】図３の携帯電話装置の構成を示すブロック図である。
【図５】図４の選択テーブルの内容を説明するための図である。
【図６】図３のナビゲーション装置の構成を示すブロック図である。
【図７】図３の装置における着信関連情報の報知処理を説明するためのフローチャートである。
【図８】本発明の第２実施例に係る着信報知装置の構成を概略的に説明するためのブロック図である。
【図９】図８の携帯電話装置の構成を示すブロック図である。
【図１０】図８のナビゲーション装置の構成を示すブロック図である。
【発明を実施するための形態】
【００１４】
以下、本発明の実施形態を、添付図面を参照して説明する。なお、以下の説明及び図面においては、同一又は同等の要素には同一の符号を付し、重複する説明を省略する。
【００１５】
［第１実施形態］
まず、本発明の第１実施形態の着信処理装置７００Ａについて、図１を参照して説明する。
【００１６】
＜構成＞
図１には、第１実施形態に係る着信処理装置７００Ａの概略的な構成が示されている。図１に示されるように、着信処理装置７００Ａは、移動通信端末ＴＲＡ内に実装されている。
【００１７】
ここで、移動通信端末ＴＲＡは、電気自動車ＭＶ（以下、「移動体ＭＶ」と呼ぶ）内の所定位置に配置される。本第１実施形態では、移動通信端末ＴＲＡは、移動体ＭＶに装備された不図示の車載装置と接続され、前方中央部のダッシュボード付近に配置されている。移動通信端末ＴＲＡは、着信処理装置７００Ａに加えて、着信報告部７５０と、登録部７６０と、入力部７７０Ａと、報知部７８１，７８２，７８３とを備えている。また、移動通信端末ＴＲＡ（より詳しくは、着信処理装置７００Ａ）は、車載装置を介して、移動体ＭＶ内に配置された４個の報知部７９１，７９２，７９３，７９４が接続されるようになっている。また、移動通信端末ＴＲＡは、移動体ＭＶに装備された検出部９１０が接続されるようになっている。
【００１８】
着信報告部７５０は、アンテナ等を備えて構成される。着信報告部７５０は、移動通信端末ＴＲＡに着信があると、当該着信に際しての発信元の通信識別子を含む着信報告を、着信処理装置７００Ａへ送る。ここで、本第１実施形態では、「通信識別子」は、電話番号となっている。
【００１９】
登録部７６０には、少なくとも１つの通信相手の通信識別子が、氏名等に関連付けられて登録されている。この登録部７６０には、着信処理装置７００Ａがアクセスできるようになっている。
【００２０】
入力部７７０Ａは、キー部等を備えて構成される。この入力部７７０Ａを利用して、利用者が、登録部７６０内に登録されている通信相手のそれぞれに関する、後述する「属性」を付与することができるようになっている。
【００２１】
検出部９１０は、移動体ＭＶの速度等の走行状態を検出する。検出部９１０による検出結果は、走行情報として、着信処理装置７００Ａへ送られる。
【００２２】
報知部７８１，７８２，７８３は、着信処理装置７００Ａから送られた報知指令に従って、移動体ＭＶの操作者に対して、着信に関する情報を報知する。ここで、本第１実施形態では、報知部７８１は、スピーカを備えて構成され、着信音をスピーカから出力する。また、報知部７８２は、表示部を備えて構成され、発信元の通信識別子や発信者の氏名等を、表示部に表示出力する。また、報知部７８３は、振動器を備えて構成され、着信に際して、移動通信端末ＴＲＡに振動を付与する。
【００２３】
報知部７９１は、本第１実施形態では、ナビゲーション案内用の音出力部を備えて構成されている。そして、報知部７９１は、着信処理装置７００Ａから送られた報知指令を受けると、発信元の通信識別子や発信者の氏名等を音声出力する。
【００２４】
報知部７９２は、本第１実施形態では、上述した報知部７８２の表示部よりも視認性の高いナビゲーション案内用の表示部を備えて構成され、インストルメントパネル付近に配置される。そして、報知部７９２は、着信処理装置７００Ａから送られた報知指令を受けると、発信元の通信識別子や発信者の氏名等を、当該表示部に表示出力する。このため、報知部７９２を利用して着信に関する情報を報知した際には、移動体ＭＶの操作者は、移動体ＭＶの運転中の通常の操作時における視線から下方へ視線を移動させることで、着信に関する情報に気付くことができる。
【００２５】
報知部７９３は、本第１実施形態では、移動体ＭＶの操作者の前方視野内に配置されるヘッドアップディスプレイを備えて構成されている。そして、報知部７９３は、着信処理装置７００Ａから送られた報知指令を受けると、発信元の通信識別子や発信者の氏名等を、ヘッドアップディスプレイに表示する。このため、報知部７９３を利用して着信に関する情報を報知した際には、移動体ＭＶの操作者は、移動体ＭＶの運転中の通常の操作時における視線を維持した状態で、着信に関する情報に気付くことができる。
【００２６】
報知部７９４は、本第１実施形態では、振動器を備えて構成され、運転席部材の内部に配置される。そして、報知部７９４は、着信処理装置７００Ａから送られた報知指令を受けると、運転席部材に振動を付与する。
【００２７】
本第１実施形態では、音による着信に関する情報の気付きやすさは、報知部７８１（移動通信端末のスピーカ）と報知部７９１（ナビゲーション案内用の音出力部）とで、同程度となっている。また、表示による着信に関する情報の気付きやすさは、報知部７９３（ヘッドアップディスプレイ）、報知部７９２（ナビゲーション案内用の表示部）、報知部７８２（移動通信端末の表示部）の順で、気付きやすくなっている。また、振動による着信に関する情報の気付きやすさは、報知部７９４（運転席部材内の振動器）、報知部７８３（移動通信端末内の振動器）の順で、気付きやすくなっている。
【００２８】
次に、上記の着信処理装置７００Ａの構成について、説明する。着信処理装置７００Ａは、保持部７１０と、走行情報取得部７２０と、送信部７３０とを備えている。
【００２９】
上記の保持部７１０は、登録部７６０に登録された通信相手の通信識別子に対応付けて、当該通信識別子により識別される通信相手の属性を付与した属性情報を保持している。ここで、「属性情報」には、入力部７７０Ａを利用して、利用者により設定された着信報知の「緊急度」が含まれている。この保持部７１０には、送信部７３０がアクセスできるようになっている。
【００３０】
上記の走行情報取得部７２０は、検出部９１０により検出された移動体ＭＶの走行に関する走行情報を取得する。走行情報取得部７２０による取得結果は、送信部７３０へ送られる。
【００３１】
上記の送信部７３０は、移動体ＭＶへの搭乗中に移動通信端末ＴＲＡに着信があると、移動通信端末ＴＲＡの着信報告部７５０から着信報告を受ける。そして、送信部７３０は、着信報告部７５０から送られた着信報告を受けると、走行情報取得部７２０により取得された走行情報を収集する。また、送信部７３０は、着信報告を受けると、着信報告に含まれる通信識別子に基づき、保持部７１０に保持されている当該通信識別子に付与されている属性情報を読み取る。
【００３２】
そして、送信部７３０は、当該属性情報、及び、収集した走行情報に基づき、移動体ＭＶ内に配置された複数の報知部７８１〜７８３，７９１〜７９４の中から少なくとも１つの利用報知部を選択する。引き続き、送信部７３０は、着信に関連する情報を含む報知指令を、選択された利用報知部へ送信する。送信部７３０による利用報知部の選択処理の詳細については、後述する。
【００３３】
＜動作＞
上記のように構成された着信処理装置７００Ａの動作について、説明する。
【００３４】
移動通信端末ＴＲＡに着信があると、移動通信端末ＴＲＡの着信報告部７５０が、当該着信に際しての発信元の通信識別子を含む着信報告を、移動通信端末ＴＲＡ内に実装されている着信処理装置７００Ａへ送る。着信報告を受けた着信処理装置７００Ａでは、送信部７３０が、走行情報取得部７２０により取得された走行情報を収集する。また、送信部７３０は、着信報告に含まれる通信識別子に基づき、保持部７１０に保持されている当該通信識別子に付与されている属性情報を読み取る。
【００３５】
そして、送信部７３０は、収集した走行情報、及び、通信識別子に付与されている属性情報に基づいて、報知部７８１〜７８３，７９１〜７９４の７個の報知部の中から、少なくとも１つの利用報知部を選択する。かかる利用報知部の選択に際して、まず、送信部７３０は、走行情報取得部７２０により取得された取得結果に基づいて、複数の報知部のそれぞれから着信に関連する情報が報知された場合の着信報知の「気付き度」及び「危険度」を評価する。
【００３６】
送信部７３０による評価結果としては、例えば、移動体ＭＶが停止中のときにおける、音により着信報知を行う報知部７８１（移動通信端末のスピーカ），７９１（ナビゲーション案内用の音出力部）についてみると、報知部７８１の気付き度及び危険度を「高」及び「低」、報知部７９１の気付き度及び危険度を「高」及び「低」と評価するようにすることができる。
【００３７】
また、移動体ＭＶが停止中のときにおける、表示により着信報知を行う報知部７８２（移動通信端末の表示部），７９２（ナビゲーション案内用の表示部），７９３（ヘッドアップディスプレイ）についてみると、報知部７８２の気付き度及び危険度を「低」及び「低」、報知部７９２の気付き度及び危険度を「中」及び「低」、報知部７９３の気付き度及び危険度を「高」及び「低」と評価するようにすることができる。
【００３８】
また、移動体ＭＶが停止中のときにおける、振動により着信報知を行う報知部７８３（移動通信端末の振動器），７９４（運転席部材内の振動器）についてみると、報知部７８３の気付き度及び危険度を「中」及び「低」、報知部７９４の気付き度及び危険度を「高」及び「低」と評価するようにすることができる。
【００３９】
送信部７３０による評価結果としては、移動体ＭＶが通常走行中のときにおける、音により着信報知を行う報知部７８１（移動通信端末のスピーカ），７９１（ナビゲーション案内用の音出力部）についてみると、報知部７８１の気付き度及び危険度を「中」及び「中」、報知部７９１の気付き度及び危険度を「中」及び「中」と評価するようにすることができる。
【００４０】
また、移動体ＭＶが通常走行中のときにおける、表示により着信報知を行う報知部７８２（移動通信端末の表示部），７９２（ナビゲーション案内用の表示部），７９３（ヘッドアップディスプレイ）についてみると、報知部７８２の気付き度及び危険度を「低」及び「中」、報知部７９２の気付き度及び危険度を「中」及び「中」、報知部７９３の気付き度及び危険度を「高」及び「中」と評価するようにすることができる。
【００４１】
また、移動体ＭＶが通常走行中のときにおける、振動により着信報知を行う報知部７８３（移動通信端末の振動器），７９４（運転席部材内の振動器）についてみると、報知部７８３の気付き度及び危険度を「低」及び「中」、報知部７９４の気付き度及び危険度を「低」及び「中」と評価するようにすることができる。
【００４２】
送信部７３０による評価結果としては、移動体ＭＶが渋滞している道路を走行しているとき（以下、「渋滞走行」と記す）における、音により着信報知を行う報知部７８１（移動通信端末のスピーカ），７９１（ナビゲーション案内用の音出力部）についてみると、報知部７８１の気付き度及び危険度を「高」及び「中」、報知部７９１の気付き度及び危険度を「高」及び「中」と評価するようにすることができる。
【００４３】
また、移動体ＭＶが渋滞走行中のときにおける、表示により着信報知を行う報知部７８２（移動通信端末の表示部），７９２（ナビゲーション案内用の表示部），７９３（ヘッドアップディスプレイ）についてみると、報知部７８２の気付き度及び危険度を「中」及び「中」、報知部７９２の気付き度及び危険度を「中」及び「低」、報知部７９３の気付き度及び危険度を「高」及び「低」と評価するようにすることができる。
【００４４】
また、移動体ＭＶが渋滞走行中のときにおける、振動により着信報知を行う報知部７８３（移動通信端末の振動器），７９４（運転席部材内の振動器）についてみると、報知部７８３の気付き度及び危険度を「低」及び「中」、報知部７９４の気付き度及び危険度を「中」及び「中」と評価するようにすることができる。
【００４５】
こうして、現時点における気付き度及び危険度が評価されると、評価された気付き度及び危険度、並びに、属性情報に含まれる着信報知の緊急度に基づいて、利用報知部を選択する。かかる利用報知部の選択は、緊急度が高い場合には、危険度が「中」以下であることを確保しつつ、気付き度を高めるとの観点から行われる。また、利用報知部の選択は、緊急度が低い場合には、危険度が「低」であることを確保しつつ、気付き度を高めるとの観点から行われる。
【００４６】
こうして利用報知部が選択されると、送信部７３０は、着信に関連する情報を含む報知指令を、当該選択された利用報知部へ送信する。利用報知部は、報知指令を受けると、着信に関する情報の報知を行う。この結果、着信に関する情報は、移動体ＭＶの操作者に報知される。
【００４７】
以上説明したように、本第１実施形態では、移動通信端末ＴＲＡに着信があると、着信報告部７５０が、当該着信に際しての発信元の通信識別子を含む着信報告を、着信処理装置７００Ａへ送る。着信報告を受けた着信処理装置７００Ａでは、送信部７３０が、走行情報取得部７２０により取得された走行情報を収集するとともに、着信報告に含まれる通信識別子に基づき、保持部７１０に保持されている当該通信識別子に付与されている属性情報を読み取る。そして、送信部７３０は、走行情報に基づいて、複数の報知部のそれぞれから着信に関連する情報が報知された場合の着信報知の「気付き度」及び「危険度」を評価する。そして、評価された気付き度及び危険度、並びに、属性情報に含まれる着信報知の緊急度に基づいて、利用報知部を選択する。
【００４８】
こうして利用報知部が選択されると、送信部７３０は、着信に関連する情報を含む報知指令を、当該選択された利用報知部へ送信する。利用報知部は、報知指令を受けると、着信に関する情報の報知を行う。この結果、移動通信端末ＴＲＡへの着信に関する情報が、移動体ＭＶの操作者に報知される。
【００４９】
このため、移動体ＭＶへの搭乗中に移動通信端末ＴＲＡへ着信があった際に、移動体ＭＶの走行状態や着信の緊急度に対応した着信報知を行うことができ、移動体操作の安全性をより高めることができる。
【００５０】
したがって、本発明の第１実施形態によれば、移動体の運転者に対して、移動通信端末への着信に関連する情報を適切に報知することができる。
【００５１】
［第２実施形態］
次に、本発明の第２実施形態の着信処理装置７００Ｂについて、図２を参照して説明する。
【００５２】
＜構成＞
図２には、第２実施形態に係る着信処理装置７００Ｂの概略的な構成が示されている。図２に示されるように、着信処理装置７００Ｂは、移動体ＭＶに搭載され、移動体ＭＶに配置された移動通信端末ＴＲＢ、入力部７７０Ｂ、及び、４個の報知部７９１，７９２，７９３，７９４が接続されるようになっている。また、着信処理装置７００Ｂは、移動体ＭＶに装備された検出部９１０が接続されるようになっている。
【００５３】
ここで、移動通信端末ＴＲＢは、本第２実施形態では、前方中央部のダッシュボード付近に配置されている。移動通信端末ＴＲＢは、上述した第１実施形態の移動通信端末ＴＲＡと比べて、着信処理装置を実装していない点、及び、入力部７７０Ａを備えていない点が異なっている。
【００５４】
入力部７７０Ｂは、キー部等を備えて構成される。この入力部７７０Ｂを利用して、利用者が、移動通信端末ＴＲＢの登録部内に登録されている通信相手のそれぞれに関する属性を、保持部７１０に付与することができるようになっている。
【００５５】
すなわち、着信処理装置７００Ｂは、上述した第１実施形態の着信処理装置７００Ａと比べて、移動通信端末ＴＲＡ内に実装されていない点が異なっている。
【００５６】
＜動作＞
上記のように構成された着信処理装置７００Ｂの動作について、説明する。
【００５７】
移動通信端末ＴＲＢに着信があると、移動通信端末ＴＲＢの着信報告部７５０が、当該着信に際しての発信元の通信識別子を含む着信報告を、移動体ＭＶに搭載された着信処理装置７００Ｂへ送る。
【００５８】
着信報告を受けた着信処理装置７００Ｂでは、送信部７３０が、上述した第１実施形態の場合と同様に、走行情報取得部７２０により取得された走行情報を収集する。また、送信部７３０は、上述した第１実施形態の場合と同様に、着信報告に含まれる通信識別子に基づき、保持部７１０に保持されている当該通信識別子に付与されている属性情報を読み取る。
【００５９】
そして、送信部７３０は、走行情報及び属性情報に基づいて、上述した第１実施形態の場合と同様にして、報知部７８１〜７８３，７９１〜７９４の中から少なくとも１つの利用報知部を選択する。こうして利用報知部が選択されると、送信部７３０は、着信に関連する情報を含む報知指令を、当該選択された利用報知部へ送信する。利用報知部は、報知指令を受けると、着信に関する情報の報知を行う。この結果、着信に関する情報は、車両ＭＶの操作者に報知される。
【００６０】
このため、移動体ＭＶへの搭乗中に移動通信端末ＴＲＢへ着信があった際に、移動体ＭＶの走行状態や着信の緊急度に対応した着信報知を行うことができ、移動体操作の安全性をより高めることができる。
【００６１】
以上説明したように、本第２実施形態では、上述した第１実施形態の場合と同様に、移動体の運転者に対して、移動通信端末への着信に関連する情報を適切に報知することができる。
【００６２】
［実施形態の変形］
なお、上記の第１及び第２実施形態では、送信部は、移動端末装置へ着信があったときの走行情報から評価される着信報知の「気付き度」及び「危険度」に基づいて、利用報知部を選択するようにした。これに対して、送信部は、走行情報取得部による取得結果に基づいて、着信報知中に、「気付き度」及び「危険度」の少なくとも一方が変化したと判断した場合には、新たな少なくとも１つの利用報知部の選択を行い、着信に関連する情報を当該新たに選択された利用報知部へ送信するようにしてもよい。
【００６３】
また、上記の第１及び第２実施形態では、送信部は、移動体が危険な状態にあると推定される場合であっても、移動端末装置へ着信があったときには、着信に関する情報を利用選択部へ送信するようにした。これに対して、安全走行時に着信報知を行うという観点から、送信部は、移動通信端末へ着信があったときの移動体の速度が所定値以上の場合には、選択された利用報知部への着信に関連する情報の送信を行わず、その後、移動体の速度が所定値未満になったときに、選択された利用報知部へ着信を履歴として送信するようにしてもよい。
【００６４】
また、上記の第１及び第２実施形態に係る着信処理装置が、移動体の走行地域情報を取得する走行地域情報取得部を更に備えるようにしてもよい。この場合には、送信部は、移動通信端末へ着信があったときに、走行地域情報取得部により取得された走行地域情報に基づき移動体が事故の多い地点を走行していると判断された場合には、選択された利用報知部への着信に関連する情報の送信を行わず、その後、移動体が事故の多い地点を通過したと判断されたときに、選択された利用報知部へ着信を履歴として送信するようにしてもよい。
【００６５】
かかる「速度が所定値以上の場合には着信報知を行わない」構成、及び、「事故の多い地点を走行していると判断された場合には着信報知を行わない」構成を採用し、移動体が危険な状態にあると推定される場合の着信報知を行わないようにすることにより、移動体の操作に際しての安全をより高めるとともに、事後的にではあるが、着信があったことを確実に報知することができる。
【００６６】
また、例えば、報知部７９２を利用して地上デジタル放送の視聴を行っている場合や、報知部７９３を利用して映画鑑賞を行っているとき等、複数の報知部のそれぞれの機能の現時点における着信報知以外での利用状態に更に基づいて、気付き度を評価するようにしてもよい。この場合には、その時点で利用されている報知部に関する気付き度が「高」と評価され、利用されていない報知部の気付き度は、「中」又は「低」と評価される。
【００６７】
また、上記の第１及び第２実施形態では、報知部７８２（移動通信端末の表示部）を備える移動通信端末は、前方中央部のダッシュボード付近に配置され、報知部７９２（ナビゲーション案内用の表示部）はインストルメントパネル付近に配置されることとしたが、これらの報知部を、移動体内空間の他の箇所に配置するようにしてもよい。
【００６８】
また、上記の第１及び第２実施形態では、移動体の操作者に対して着信報知を行う報知部として、移動端末装置が備える報知部７８１，７８２,７８３に加え、４個の報知部７９１〜７９４を用意した。これに対して、報知部の数を２個以上に減らしてもよいし、着信報知の態様の異なる報知部を増やすようにしてもよい。
【００６９】
また、上記の第１及び第２実施形態では、通信識別子は電話番号であるとしたが、当該通信識別子は、電子メールアドレス等の他の通信識別子であってもよい。例えば、通信識別子が電子メールアドレスである場合には、報知部は、電子メールの着信に関する情報を、移動体の操作者に対して報知することになる。
【００７０】
また、上記の第１及び第２実施形態では、着信処理装置の構成要素の全てが、移動体に搭載されるようにした。これに対して、任意の構成要素を、遠隔地に配置されたサーバ装置が備えるようにし、当該サーバ装置と通信可能な端末装置を移動体に搭載する構成としてもよい。
【００７１】
また、上記の実施形態では、電気自動車に配置される装置に本発明を適用したが、ハイブリッド車やガソリン車等に搭載される装置に本発明を適用することができるのは、勿論である。
【００７２】
なお、上記の第１及び第２実施形態の着信処理装置の保持部以外の部分を、中央処理装置（ＣＰＵ：Central Processing Unit）等を備えた演算部としてのコンピュータとして構成し、予め用意されたプログラムを当該コンピュータで実行することにより、着信処理装置における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体からロードされて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【実施例】
【００７３】
以下、本発明の着信報知装置の実施例を、図３〜図１０を参照して説明する。なお、以下の説明及び図面においては、同一又は同等の要素については同一の符号を付し、重複する説明を省略する。【００７４】
［第１実施例］
まず、本発明の第１実施例を、図３〜図７を主に参照して説明する。【００７５】
＜構成＞
図３には、第１実施例に係る「着信処理装置」を備える着信報知装置１００Ａの概略的な構成が示されている。なお、着信報知装置１００Ａが備える「着信処理装置」は、上述した第１実施形態の着信処理装置７００Ａ（図１参照）の一態様となっている。【００７６】
着信報知装置１００Ａは、電気モータを駆動機構とし、道路上を走行する車両ＣＲに搭載される。この車両ＣＲには、着信報知装置１００Ａに接続される車速センサ４９０が搭載されている。【００７７】
ここで、上記の車速センサ４９０は、車両ＣＲの車輪又は車軸の回転を検出する。車速センサ４９０による車速検出結果は、着信報知装置１００Ａへ送られる。【００７８】
ここで、本第１実施例では、車両ＣＲの走行を制御するＥＣＵ（Electrical Control Unit）が、車速センサ４９０による車速検出結果を収集するようになっている。そして、ＥＣＵによる収集結果が、車内ＬＡＮ（Local Area Network）を通じて、着信報知装置１００Ａに供給されるようになっている。【００７９】
なお、車内ＬＡＮを利用することができない場合には、ＥＣＵに接続される信号ハーネスに検出ハーネスを噛ませることにより、又は、ＥＣＵからアドオン車載装置向けに引き出されている出力ハーネスを利用することにより、車速センサ４９０と着信報知装置１００Ａとを接続するようにしてもよい。【００８０】
次に、着信報知装置１００Ａの構成について、説明する。着信報知装置１００Ａは、図３に示されるように、移動通信端末ＴＲＡとしてのスマートフォン等の携帯電話装置２００Ａと、ナビゲーション装置３００Ａとを備えている。また、着信報知装置１００Ａは、報知部７９３としてのヘッドアップディスプレイ表示部４１０と、報知部７９４としてのシート振動部４２０とを備えている。【００８１】
上記の携帯電話装置２００Ａ、及び、上記のナビゲーション装置３００Ａは、ケーブルを介して、接続されている。そして、携帯電話装置２００Ａは、車両ＣＲの車室内空間における前方中央部のダッシュボード付近に配置されている。携帯電話装置２００Ａ及びナビゲーション装置３００Ａの詳細な構成については、後述する。【００８２】
上記のヘッドアップディスプレイ表示部４１０は、運転者の前方視野内に配置されるヘッドアップディスプレイを備えて構成され、ナビゲーション装置３００Ａに接続される。このヘッドアップディスプレイ表示部４１０は、着信処理装置から送られた報知指令を受けると、携帯電話装置２００Ａへ着信があったときの発信元の電話番号や発信者の氏名を、ヘッドアップディスプレイに表示する。【００８３】
上記のシート振動部４２０は、振動器を備えて構成され、ナビゲーション装置３００Ａに接続される。この振動器は、運転席部材の内部に配置され、着信処理装置から送られた報知指令を受けると、運転席部材に振動を付与する。【００８４】
《携帯電話装置２００Ａの構成》
次に、上述した携帯電話装置２００Ａの構成について説明する。携帯電話装置２００Ａは、図４に示されるように、着信報告部７５０としてのアンテナ２１０と、着信報告部７５０としての送受信部２２０と、登録部７６０としての電話番号登録部２３０と、着信報知部２４０とを備えている。また、携帯電話装置２００Ａは、入力部７７０Ａとしての入力部２５１Ａと、通話用スピーカ２５２と、マイクロフォン２５３とを備えている。さらに、携帯電話装置２００Ａは、通話処理部２６０と、着信処理装置７００Ａとしての着信処理装置２７０と、インターフェイス（ＮＩＦ）２９０とを備えている。【００８５】
上記のアンテナ２１０は、不図示の通信網において用意された基地局からの通話に関する無線通信を受信するとともに、当該基地局へ通話に関する無線信号を送信する。アンテナ２１０による当該無線信号の受信結果は、送受信部２２０へ出力される。また、アンテナ２１０は、送受信部２２０からの通話に関する送信信号を受けて、当該送信信号に対応する無線信号を、基地局へ送信する。【００８６】
上記の送受信部２２０は、アンテナ２１０から受信した受信信号を処理して、通話処理部２６０及び着信処理装置２７０で処理可能なデジタルデータ信号に変換する。また、送受信部２２０は、通話処理部２６０から送られた通話に関する送信信号を処理して、基地局へ送信する無線信号に対応する信号に変換し、アンテナ２１０へ送る。【００８７】
上記の電話番号登録部２３０には、利用者によって入力された通信相手の電話番号が、氏名、グループ等に関連付けられて登録されている。【００８８】
上記の着信報知部２４０は、着信処理装置２７０から送られた報知指令に従って、車両ＣＲの運転者に対して、着信に関する情報を報知する。この着信報知部２４０は、報知部７８１としての着信案内用スピーカ２４１と、報知部７８２としての表示部２４２と、報知部７８３としての振動部２４３と備えている。【００８９】
上記の着信案内用スピーカ２４１は、着信処理装置２７０から送られた報知指令としての着信報知のための音データを受けると、着信音を出力する。【００９０】
上記の表示部２４２は、液晶装置等を備えて構成される。そして、表示部２４２は、着信処理装置２７０から送られた報知指令としての表示用データを受けると、携帯電話装置２００Ａへ着信があったときの発信元の電話番号や発信者の氏名を、液晶装置に表示出力する。また、表示部２４２は、通話処理部２６０による制御のもとで、操作ガイダンス情報等を表示する。【００９１】
上記の振動部２４３は、振動器を備えて構成される。そして、振動部２４３は、着信処理装置２７０から送られた報知指令としての着信報知のための振動信号を受けると、携帯電話装置２００Ａに振動を付与する。【００９２】
上記の入力部２５１Ａは、キー部等を備えて構成されている。ここで、キー部としては、表示部２４２の液晶装置に設けられたタッチパネルを用いることができる。また、キー部を有する構成に代えて、又は併用して音声認識技術を利用して音声にて入力する構成を採用することもできる。【００９３】
この入力部２５１Ａを利用者が操作することにより、後述する「通信相手の属性」を、保持部に設定することができる。また、この入力部２５１Ａを利用者が操作することにより、電話番号等の入力といった通常の携帯電話装置としての各種設定の入力や、発信開始指令、着信時の通話開始（オフフック）指令、通話終了（オンフック）指令を入力することができる。【００９４】
上記の通話用スピーカ２５２は、通話処理部２６０から送られた音声データを受ける。そして、通話用スピーカ２５２は、通話処理部２６０による制御のもとで、通話時に通信相手から送られてきた音声を出力する。上記のマイクロフォン２５３は、通話時の利用者の音声を集音する。そして、マイクロフォン２５３は、集音結果を通話処理部２６０へ送る。【００９５】
上記の通話処理部２６０は、要素２１０〜２３０，２４２，２５１Ａ〜２５３を利用して、通話のための様々の制御を行う。【００９６】
上記の着信処理装置２７０は、保持部７１０としての保持部２７１と、走行情報取得部７２０としての走行情報取得部２７２と、送信部７３０としての着信報知制御部（ＲＩＣ）２７３と、選択テーブル２７４とを備えている。【００９７】
上記の保持部２７１には、電話番号登録部２３０に登録された通信相手の電話番号に対応付けて、当該電話番号により識別される通信相手の属性を付与した属性情報が保持されている。この保持部２７１には、着信報知制御部２７３がアクセスできるようになっている。【００９８】
ここで、「属性情報」には、入力部２５１Ａを利用して利用者により設定された着信報知の「緊急度」が含まれている。本第１実施例では、緊急度は、低い方から順に、「１」〜「５」の５段階に分類されるようになっている。【００９９】
上記の走行情報取得部２７２は、ＮＩＦ２９０を介してナビゲーション装置３００Ａから送られた速度情報、及び、現在位置情報を取得する。そして、走行情報取得部２７２は、速度情報の履歴に基づいて、車両ＣＲの走行状態が「停車」、「通常走行」又は「渋滞走行」のいずれであるかを判定する。引き続き、走行情報取得部２７２は、当該速度情報、判定結果である走行状態情報、及び、現在位置情報を、走行情報として着信報知制御部２７３へ送る。【０１００】
ここで、「現在位置情報」には、後述するように、車両ＣＲが走行している場合には走行している道路が「一般道路」であるか「高速道路」であるかの区別、車両ＣＲが停止している場合には停止位置が利用者の「自宅」であるか「自宅以外（道路、販売店の駐車場等）」であるかの区別の情報が含まれている。【０１０１】
上記の着信報知制御部２７３は、着信処理装置２７０の動作を制御する。この着信報知制御部２７３は、車両ＣＲ内に配置された複数の報知部の報知態様、配置位置、並びに、車両ＣＲの走行状態に基づいて、複数の報知部のそれぞれから着信に関連する情報が報知された場合の着信報知の利用者の「気付き度」及び運転操作の「危険度」を評価する。そして、着信報知制御部２７３は、評価された「気付き度」及び「危険度」、並びに、着信報知の「緊急度」に基づいて、利用報知部を選択するための選択テーブル２７４を作成する。選択テーブル２７４の内容については、後述する。【０１０２】
また、着信報知制御部２７３は、携帯電話装置２００Ａに着信があると、送受信部２２０から送られた発信元の電話番号を含む着信報告を受ける。そして、着信報知制御部２７３は、当該着信報告を受けると、走行情報取得部２７２により取得された走行情報を収集する。また、着信報知制御部２７３は、当該着信報告を受けると、着信報告に含まれる電話番号に基づいて、保持部２７１に保持されている当該電話番号に付与されている属性情報を読み取る。【０１０３】
そして、着信報知制御部２７３は、当該属性情報、及び、収集した走行情報に基づいて、上述した選択テーブル２７４を参照して、車両ＣＲ内に配置された複数の報知部である「着信案内用スピーカ２４１」、「表示部２４２」、「振動部２４３」、ナビゲーション装置３００Ａが備える「音出力部」及び「表示部」、「ヘッドアップディスプレイ表示部４１０」、「シート振動部４２０」の中から、運転者に着信報知を行う少なくとも１つの利用報知部を選択する。【０１０４】
引き続き、着信報知制御部２７３は、着信に関連する情報を含む報知指令を、選択された利用報知部へ送信する。ここで、着信報知制御部２７３は、「着信案内用スピーカ２４１」を利用報知部に選択したときには、着信音を出力ための音データを生成し、着信案内用スピーカ２４１へ送信する。また、着信報知制御部２７３は、「表示部２４２」を利用報知部に選択したときには、発信元の電話番号や発信者の氏名を表示すべき旨の表示用データを生成し、表示部２４２へ送信する。さらに、着信報知制御部２７３は、「振動部２４３」を利用報知部に選択したときには、携帯電話装置２００Ａに振動を付与するための振動信号を生成し、振動部２４３へ送信する。【０１０５】
また、着信報知制御部２７３は、ナビゲーション装置３００Ａが備える「音出力部」を利用報知部に選択したときには、発信元の電話番号や発信者の氏名を音声出力すべき旨の報知指令を生成する。また、着信報知制御部２７３は、ナビゲーション装置３００Ａが備える「表示部」を利用報知部に選択したときには、発信元の電話番号や発信者の氏名を表示すべき旨の報知指令を生成する。そして、着信報知制御部２７３は、生成された報知指令を、ＮＩＦ２９０を介して、ナビゲーション装置３００Ａへ送る。【０１０６】
また、着信報知制御部２７３は、「ヘッドアップディスプレイ表示部４１０」を利用報知部に選択したときには、発信元の電話番号や発信者の氏名を表示すべき旨の報知指令を生成する。また、着信報知制御部２７３は、「シート振動部４２０」を利用報知部に選択したときには、運転席部材に振動を付与すべき旨の報知指令を生成する。こうして生成された報知指令は、ＮＩＦ２９０を介して、ナビゲーション装置３００Ａへ送信される。【０１０７】
上記の選択テーブル２７４は、上述したように、着信報知制御部２７３により作成される。図５には、本第１実施例の選択テーブル２７４が示されている。図５に示されるように、選択テーブル２７４には、車両ＣＲの走行状態と着信報知の緊急度との組み合せに関連付けて、選択すべき利用報知部が登録されている。本第１実施例では、走行状態が、「停車」、「通常走行」及び「渋滞走行」に分類されるようになっている。そして、「停車」は、「自宅」停車、「自宅以外」停車に分類されている。また、「通常走行」及び「渋滞走行」のそれぞれは、「一般道路」走行、「高速道路」走行に分類されている。【０１０８】
また、本第１実施例では、緊急度が、上述したように、「１」〜「５」の５段階に分類されるようになっている。ここで、「ｊ」（ｊ＝１〜５）の値ｊが小さいほど緊急度が低く、値ｊが大きいほど緊急度が高くなっている。【０１０９】
以上のように６種類に分類された走行状態と、５段階に分類された緊急度との組み合せに関連付けて、図５に示されたＡ〜Ｇの７個の報知部が登録されている。なお、例えば、車両ＣＲの走行状態が「通常走行」かつ「高速道路」であり、緊急度が「３」以下の場合等の「着信報知なし」に該当するときには、いずれの報知部からも着信報知を行わないようになっている。【０１１０】
ここで、視認による着信報知の気付きやすさは、「ヘッドアップディスプレイ表示部４１０」、ナビゲーション装置３００Ａの「表示部」、携帯電話装置２００Ａの「表示部２４２」の順で、気付きやすくなっている。また、音による着信報知の気付きやすさは、携帯電話装置２００Ａの「着信案内用スピーカ２４１」と、ナビゲーション装置３００Ａの「音出力部」とで、同程度となっている。また、振動による着信報知の気付きやすさは、「シート振動部４２０」、携帯電話装置２００Ａの「振動部２４３」の順で、気付きやすくなっている。【０１１１】
上記のＮＩＦ２９０は、携帯電話装置２００Ａとナビゲーション装置３００Ａとの間におけるデータ授受に際して利用される。【０１１２】
《ナビゲーション装置３００Ａの構成》
次に、上述したナビゲーション装置３００Ａの構成について説明する。ナビゲーション装置３００Ａは、図６に示されるように、位置検出部３１０と、地図情報記憶部３２０と、報知部７９１としての音出力部３３０と、報知部７９２としての表示部３４０と、入力部３４５Ａとを備えている。また、ナビゲーション装置３００Ａは、ナビゲーション処理部３５０と、情報処理部３６０と、インターフェイス（ＴＩＦ）３８０と、インターフェイス（ＳＩＦ）３９０とを備えている。【０１１３】
上記の位置検出部３１０は、ＧＰＳ（Global Positioning System）受信部等を備えて構成される。この位置検出部３１０は、車両ＣＲの現在位置及び進行方向を検出する。そして、位置検出部３１０は、当該位置検出結果を、ナビゲーション処理部３５０及び情報処理部３６０へ送る。【０１１４】
上記の地図情報記憶部３２０は、地図情報ＭＰＩを記憶する。ここで、地図情報ＭＰＩには、一般道路、高速道路等の道路の種別を示した道路情報、利用者の自宅位置情報等が含まれている。この地図情報記憶部３２０には、ナビゲーション処理部３５０及び情報処理部３６０がアクセスできるようになっている。【０１１５】
上記の音出力部３３０は、スピーカを備えて構成されている。この音出力部３３０は、ナビゲーション処理に際して、車両ＣＲの進行方向、走行状況、交通状況等の案内音声を出力する。また、音出力部３３０は、携帯電話装置２００Ａの着信処理装置２７０から送られた報知指令を受けると、携帯電話装置２００Ａへ着信があったときの発信元の電話番号や発信者の氏名を音声出力する。【０１１６】
上記の表示部３４０は、液晶パネル等の表示デバイスを備えて構成され、ナビゲーション処理に際して、地図情報、ルート情報、ガイダンス情報等の走行支援画像を表示する。また、表示部４１０は、着信処理装置２７０から送られた報知指令を受けると、携帯電話装置２００Ａへ着信があったときの発信元の電話番号や発信者の氏名を、表示デバイスに表示する。この表示部４１０は、インストルメントパネル付近に配置される。【０１１７】
上記の入力部３４５Ａは、ナビゲーション装置３００Ａの本体部に設けられたキー部、あるいはキー部を備えるリモート入力装置等により構成される。ここで、本体部に設けられたキー部としては、表示部３４０の表示デバイスに設けられたタッチパネルを用いることができる。なお、キー部を有する構成に代えて、音声入力する構成を採用することもできる。【０１１８】
この入力部３４５Ａを利用者が操作することにより、ナビゲーション装置３００Ａの動作内容の設定や動作指令が行われる。例えば、ナビゲーション処理におけるルート探索に関する目的地等の設定を、利用者が入力部３４５Ａを利用して行うことができる。【０１１９】
上記ナビゲーション処理部３５０は、要素３１０〜３４５Ａ，４９０を利用して、利用者にナビゲーション情報を提供する。【０１２０】
上記の情報処理部３６０は、ＳＩＦ３９０を介して、車速センサ４９０による車速検出結果を受ける。そして、情報処理部３６０は、車速検出結果を、携帯電話装置２００Ａで取扱可能な形態の信号に変換し、速度情報として、ＴＩＦ３８０を介して携帯電話装置２００Ａへ送る。【０１２１】
また、情報処理部３６０は、位置検出部３１０から送られた位置検出結果を受ける。そして、情報処理部３６０は、当該位置検出結果に基づいて、地図情報記憶部３２０内の地図情報ＭＰＩを参照し、車両ＣＲが走行している場合には走行している道路の種別を判定し、車両ＣＲが停止している場合には停止位置が利用者の自宅であるかどうかを判定する現在位置判定を行う。引き続き、情報処理部３６０は、位置検出情報及び当該判定結果を現在位置情報として、ＴＩＦ３８０を介して携帯電話装置２００Ａへ送る。【０１２２】
また、情報処理部３６０は、ＴＩＦ３８０を介して、携帯電話装置２００Ａから送られた音出力部３３０へ向けた報知指令を受けると、当該報知指令に基づいて、着信報知のための音データを生成する。そして、情報処理部３６０は、生成された音データを音出力部３３０へ送る。【０１２３】
また、情報処理部３６０は、ＴＩＦ３８０を介して、携帯電話装置２００Ａから送られた表示部３４０へ向けた報知指令を受けると、当該報知指令に基づいて、着信報知のための表示用データを生成する。そして、情報処理部３６０は、生成された表示用データを表示部３４０へ送る。【０１２４】
また、情報処理部３６０は、ＴＩＦ３８０を介して、携帯電話装置２００Ａから送られたヘッドアップディスプレイ表示部４１０へ向けた報知指令を受けると、当該報知指令に基づいて、着信報知のための表示用データを生成する。そして、情報処理部３６０は、生成された表示用データをヘッドアップディスプレイ表示部４１０へ送る。【０１２５】
また、情報処理部３６０は、ＴＩＦ３８０を介して、携帯電話装置２００Ａから送られたシート振動部４２０へ向けた報知指令を受けると、当該報知指令に基づいて、着信報知のための振動信号を生成する。そして、情報処理部３６０は、生成された振動信号をシート振動部４２０へ送る。【０１２６】
上記のＴＩＦ３８０は、ナビゲーション装置３００Ａと携帯電話装置２００Ａとの間におけるデータ授受に際して利用される。【０１２７】
上記のＳＩＦ３９０は、ナビゲーション装置３００Ａと車両ＣＲに搭載された車速センサ４９０との間におけるデータ授受に関して利用される。【０１２８】
＜動作＞
以上のようにして構成された着信報知装置１００Ａの動作について、「携帯電話装置２００Ａ」の着信処理装置２７０による着信関連情報の報知処理に主に着目して説明する。【０１２９】
着信報知装置１００Ａでは、携帯電話装置２００Ａの走行情報取得部２７２が、ＮＩＦ２９０を介して、ナビゲーション装置３００Ａから送られた速度情報、及び、現在位置情報を受ける。そして、走行情報取得部２７２は、当該速度情報の履歴に基づいて、車両ＣＲの走行状態を判定しているものとする（図４参照）。【０１３０】
着信報知装置１００Ａによる着信関連情報の報知処理は、携帯電話装置２００Ａに着信があり、送受信部２２０が、発信元の電話番号を含む着信報告を着信報知制御部２７３へ送ることにより、開始する。【０１３１】
着信報告を受けた着信報知制御部２７３は、図７に示されるように、まず、ステップＳ１１において、保持部２７１にアクセスし、着信報告に含まれる電話番号に基づいて、当該電話番号に付与されている属性情報である緊急度を読み取る。引き続き、ステップＳ１２において、着信報知制御部２７３は、走行情報取得部２７２が取得した走行情報を収集する。【０１３２】
次に、ステップＳ１３において、着信報知制御部２７３が、車両ＣＲの運転者に対して着信報知を行う利用報知部を選択する。かかる利用報知部の選択に際して、着信報知制御部２７３は、収集した走行情報と、読み取った緊急度との組み合せに対応する報知部を、選択テーブル２７４（図５参照）から読み取る。そして、着信報知制御部２７３は、読み取られた報知部を、利用報知部として選択する。【０１３３】
引き続き、ステップＳ１４において、着信報知制御部２７３が、上述したステップＳ１３において、利用報知部が選択されたか否かを判定する。この判定の結果が否定的であった場合（ステップＳ１４：Ｎ）、すなわち、走行情報と緊急度との組み合せの対応が「着信報知なし」であった場合には、車両ＣＲの運転者に対する着信報知を行わないで、今回の着信に対する着信関連情報の報知処理が終了する。【０１３４】
一方、ステップＳ１４における判定の結果が肯定的であった場合（ステップＳ１４：Ｙ）には、処理はステップＳ１５へ進む。ステップＳ１５では、着信報知制御部２７３が、選択された利用報知部へ向けて送信する報知指令を生成する。そして、着信報知制御部２７３は、生成された報知指令を利用報知部へ送信する。【０１３５】
かかる報知指令の生成及び送信に際して、携帯電話装置２００Ａが備える報知部（「Ａ：表示部２４２」、「Ｂ：着信案内用スピーカ２４１」、「Ｃ：振動部２４３」）を利用報知部として選択したときには、着信報知制御部２７３は、選択された利用報知部に対応する報知指令を生成し、当該選択された報知部へ送信する。【０１３６】
この結果、利用報知部として「Ａ：表示部２４２」が選択されたときには、発信元の電話番号や発信者の氏名が、液晶装置に表示出力される。また、利用報知部として「Ｂ：着信案内用スピーカ２４１」が選択されたときには、着信案内用スピーカ２４１から着信音が出力される。また、利用報知部として「Ｃ：振動部２４３」が選択されたときには、携帯電話装置２００Ａが振動する。【０１３７】
また、ナビゲーション装置３００Ａが備える報知部（「Ｄ：表示部３４０」、「Ｅ：音出力部３３０」）を利用報知部として選択したときには、着信報知制御部２７３は、選択された利用報知部に対応する報知指令を生成し、ＮＩＦ２９０を介して、ナビゲーション装置３００Ａへ送信する。この結果、利用報知部として「Ｄ：表示部３４０」が選択されたときには、発信元の電話番号や発信者の氏名が、表示デバイスに表示される。また、利用報知部として「Ｅ：音出力部３３０」が選択されたときには、発信元の電話番号や発信者の氏名が、スピーカから音声出力される。【０１３８】
また、ナビゲーション装置３００Ａに接続される報知部（「Ｆ：ヘッドアップディスプレイ表示部４１０」、「Ｇ：シート振動部４２０」）を利用報知部として選択したときには、着信報知制御部２７３は、選択された利用報知部に対応する報知指令を生成し、ＮＩＦ２９０を介して、ナビゲーション装置３００Ａへ送信する。この結果、利用報知部として「Ｆ：ヘッドアップディスプレイ表示部４１０」が選択されたときには、発信元の電話番号や発信者の氏名が、ヘッドアップディスプレイに表示される。また、利用報知部として「Ｇ：シート振動部４２０」が選択されたときには、運転席部材が振動する。【０１３９】
携帯電話装置２００Ａへの着信があるごとに、上記のステップＳ１１〜Ｓ１５の処理が実施されて、着信関連情報の報知処理が行われる。【０１４０】
以上説明したように、本第１実施例では、携帯電話装置２００Ａに着信があると、送受信部２２０が、着信に際しての発信元の電話番号を含む着信報告を、携帯電話装置２００Ａの着信処理装置２７０へ送る。着信報告を受けた着信処理装置２７０では、着信報知制御部２７３が、走行情報取得部２７２により取得された走行情報を収集する。また、着信報知制御部２７３は、保持部２７１にアクセスし、着信報告に含まれる電話番号に基づいて、当該電話番号に付与されている属性情報である緊急度を読み取る。【０１４１】
引き続き、着信報知制御部２７３は、車両ＣＲの走行状態に基づいて、複数の報知部のそれぞれから着信に関連する情報が報知された場合の着信報知の利用者の「気付き度」及び運転操作の「危険度」を評価し、当該評価された気付き度及び危険度、並びに、着信報知の「緊急度」に基づいて作成された選択テーブル２７４を参照する。そして、着信報知制御部２７３は、収集した走行情報と、読み取った緊急度との組み合せに対応する報知部を、選択テーブル２７４から読み取り、当該読み取られた報知部を、利用報知部として選択する。【０１４２】
こうして車両ＣＲの運転者に対して着信報知を行う利用報知部が選択されると、着信報知制御部２７３は、着信に関連する情報を含む報知指令を、当該選択された利用報知部へ送信する。選択された利用報知部は、当該報知指令を受けると、車両ＣＲの運転者に対して、着信に関する情報の報知を行う。【０１４３】
このため、車両ＣＲへの搭乗中に携帯電話装置２００Ａへ着信があった際に、車両ＣＲの走行状態や着信の緊急度に対応した着信報知を行うことができ、車両操作の安全性をより高めることができる。【０１４４】
したがって、本第１実施例によれば、車両の運転者に対して、携帯電話装置への着信に関連する情報を適切に報知することができる。【０１４５】
［第２実施例］
次に、本発明の第２実施例を、図８〜図１０を主に参照して説明する。
＜構成＞
図８には、第２実施例に係る「着信処理装置」を備える着信報知装置１００Ｂの概略的な構成が示されている。なお、着信報知装置１００Ｂが備える「着信処理装置」は、上述した第２実施形態の着信処理装置７００Ｂ（図２参照）の一態様となっている。【０１４６】
図８に示されるように、着信報知装置１００Ｂは、上述した第１実施例の着信報知装置１００Ａ（図３参照）と比べて、携帯電話装置２００Ａに代えて、移動通信端末ＴＲＢとしての携帯電話装置２００Ｂを備える点、及び、ナビゲーション装置３００Ａに代えてナビゲーション装置３００Ｂを備える点が異なっている。以下、これらの相違点に主に着目して、説明を行う。【０１４７】
《携帯電話装置２００Ｂの構成》
上記の携帯電話装置２００Ｂの構成について、説明する。携帯電話装置２００Ｂは、図９に示されるように、上述した第１実施例の携帯電話装置２００Ａ（図４参照）と比べて、着信処理装置２７０を備えていない点、情報処理部２８０を更に備える点、及び、入力部２５１Ａに代えて入力部２５１Ｂを備える点が異なっている。【０１４８】
上記の情報処理部２８０は、携帯電話装置２００Ｂに着信があると、送受信部２２０から送られた発信元の電話番号を含む着信報告を受ける。そして、情報処理部２８０は、着信報告を受けると、当該着信報告に関する情報である着信報告情報を、ＮＩＦ２９０を介して、ナビゲーション装置３００Ｂへ送信する。【０１４９】
また、情報処理部２８０は、ＮＩＦ２９０を介して、ナビゲーション装置３００Ｂから送られた電話番号取得指令を受けると、電話番号登録部２３０にアクセスする。そして、情報処理部２８０は、電話番号登録部２３０に登録されている電話番号情報を、ＮＩＦ２９０を介して、ナビゲーション装置３００Ｂへ送信する。【０１５０】
また、情報処理部２８０は、ＮＩＦ２９０を介して、ナビゲーション装置３００Ｂから送られた着信案内用スピーカ２４１へ向けた報知指令を受けると、当該報知指令に基づいて、着信報知のための音データを生成する。そして、情報処理部２８０は、生成された音データを着信案内用スピーカ２４１へ送る。【０１５１】
また、情報処理部２８０は、ＮＩＦ２９０を介して、ナビゲーション装置３００Ｂから送られた表示部２４２へ向けた報知指令を受けると、当該報知指令に基づいて、着信報知のための表示用データを生成する。そして、情報処理部２８０は、生成された表示用データを表示部２４２へ送る。【０１５２】
また、情報処理部２８０は、ＮＩＦ２９０を介して、ナビゲーション装置３００Ｂから送られた振動部２４３へ向けた報知指令を受けると、当該報知指令に基づいて、着信報知のための振動信号を生成する。そして、情報処理部２８０は、生成された振動データを振動部２４３へ送る。【０１５３】
上記の入力部２５１Ｂは、通信相手の属性を付与することができない点を除いて、上述した第１実施例の入力部２５１Ａと同様に構成される。【０１５４】
《ナビゲーション装置３００Ｂの構成》
上記のナビゲーション装置３００Ｂの構成について、説明する。ナビゲーション装置３００Ｂは、図１０に示されるように、上述した第１実施例のナビゲーション装置３００Ａ（図６参照）と比べて、着信処理装置３７０を更に備える点、情報処理部３６０を備えていない点、及び、入力部３４５Ａに代えて、入力部７７０Ｂとしての入力部３４５Ｂを備える点が異なっている。【０１５５】
上記の着信処理装置３７０は、保持部７１０としての保持部３７１と、走行情報取得部７２０としての走行情報取得部３７２と、送信部７３０としての着信報知制御部（ＲＩＣ）３７３と、選択テーブル３７４とを備えている。【０１５６】
上記の保持部３７１は、上述した第１実施例の保持部２７１と同様に、電話番号登録部２３０に登録された通信相手の電話番号に対応付けて、当該電話番号により識別される通信相手の属性を付与した属性情報が保持されている。ここで、「属性情報」には、入力部３４５Ｂを利用して利用者により設定された着信報知の「緊急度」が含まれている。この保持部３７１には、着信報知制御部３７３がアクセスできるようになっている。【０１５７】
上記の走行情報取得部３７２は、ＳＩＦ３９０を介して、車速センサ４９０による車速検出結果を受ける。そして、走行情報取得部３７２は、車速検出結果を、着信報知制御部３７３で取扱可能な形態の信号である速度情報に変換する。そして、走行情報取得部３７２は、上述した第１実施例の走行情報取得部２７２と同様に、速度情報の履歴に基づいて、車両ＣＲの走行状態が「停車」、「通常走行」又は「渋滞走行」のいずれであるかの走行状態を判定する。【０１５８】
また、走行情報取得部３７２は、位置検出部３１０から送られた位置検出結果を受ける。そして、走行情報取得部３７２は、当該位置検出結果に基づいて、地図情報記憶部３２０内の地図情報ＭＰＩを参照し、車両ＣＲが走行している場合には走行している道路の種別を判定し、車両ＣＲが停止している場合には停止位置が利用者の自宅であるかどうかを判定する現在位置の判定を行う。【０１５９】
引き続き、走行情報取得部３７２は、速度情報、走行状態情報、及び、現在位置情報を、走行情報として着信報知制御部３７３へ送る。【０１６０】
上記の着信報知制御部３７３は、着信処理装置３７０の動作を制御する。この着信報知制御部３７３は、上述した第１実施例の着信報知制御部２７３と同様に、車両ＣＲ内に配置された複数の報知部の報知態様、配置位置、並びに、車両ＣＲの走行状態に基づいて、複数の報知部のそれぞれから着信に関連する情報が報知された場合の着信報知の利用者の「気付き度」及び運転操作の「危険度」を評価する。そして、着信報知制御部３７３は、評価された「気付き度」及び「危険度」、並びに、着信報知の「緊急度」に基づいて、利用報知部を選択するための選択テーブル３７４を作成する。【０１６１】
また、着信報知制御部３７３は、携帯電話装置２００Ｂに着信があると、ＴＩＦ３８０を介して、携帯電話装置２００Ｂから送られた発信元の電話番号を含む着信報告情報を受ける。そして、着信報知制御部３７３は、着信報告情報を受けると、上述した第１実施例の着信報知制御部２７３と同様に、走行情報取得部３７２により取得された走行情報を収集する。また、着信報知制御部３７３は、当該着信報告を受けると、着信報告に含まれる電話番号に基づいて、保持部３７１に保持されている当該電話番号に付与されている属性情報を読み取る。【０１６２】
引き続き、着信報知制御部３７３は、上述した第１実施例の着信報知制御部２７３と同様に、当該属性情報、及び、収集した走行情報に基づいて、上述した選択テーブル３７４を参照して、「着信案内用スピーカ２４１」、「表示部２４２」、「振動部２４３」、「音出力部３３０」及び「表示部３４０」、「ヘッドアップディスプレイ表示部４１０」、「シート振動部４２０」の中から、運転者に着信報知を行う少なくとも１つの利用報知部を選択する。そして、着信報知制御部３７３は、着信に関連する情報を含む報知指令を、選択された利用報知部へ送信する。【０１６３】
上記の選択テーブル３７４は、着信報知制御部３７３により作成され、上述した第１実施例の選択テーブル２７４と同様の内容を記憶している。この選択テーブル３７４には、着信報知制御部３７３がアクセスできるようになっている。【０１６４】
上記の入力部３４５Ｂは、ナビゲーション装置３００Ｂの本体部に設けられたキー部、あるいはキー部を備えるリモート入力装置等により構成される。この入力部３４５Ｂを利用者が操作することにより、保持部３７１に、携帯電話装置２００Ｂの電話番号登録部２３０内に登録されている通信相手のそれぞれに関する属性を設定することができる。この点を除いて、入力部３４５Ｂは、上述した第１実施例の入力部３４５Ａと同様に構成される。【０１６５】
＜動作＞
以上のようにして構成された着信報知装置１００Ｂの動作について、「ナビゲーション装置３００Ｂ」の着信処理装置３７０による着信関連情報の報知処理に主に着目して説明する。【０１６６】
着信報知装置１００Ｂでは、ナビゲーション装置３００Ｂの走行情報取得部３７２が、ＳＩＦ３９０を介して、車速センサ４９０による車速検出結果を受け、速度情報に変換する。そして、走行情報取得部３７２は、速度情報の履歴に基づいて、車両ＣＲの走行状態を判定しているものとする。【０１６７】
また、走行情報取得部３７２は、位置検出部３１０から送られた位置検出結果を受ける。そして、走行情報取得部３７２は、当該位置検出結果に基づいて、地図情報記憶部３２０内の地図情報ＭＰＩを参照し、上述した現在位置判定を行っているものとする（図１０参照）。【０１６８】
着信報知装置１００Ｂによる着信関連情報の報知処理は、携帯電話装置２００Ｂに着信があり、携帯電話装置２００Ｂが、発信元の電話番号を含む着信報告を、ＮＩＦ２９０を介して、ナビゲーション装置３００Ｂの着信報知制御部３７３へ送ることにより、開始する。【０１６９】
本第２実施例では、着信関連情報の報知処理に際して、第１実施例における図７のステップＳ１１〜Ｓ１５と同様の処理を、着信報知制御部３７３が実行する。以下、図７のステップＳ１１〜Ｓ１５のそれぞれに対応するステップの処理の説明に際して、対応する図７におけるステップ番号を使用して説明する。【０１７０】
着信報告を受けた着信報知制御部３７３は、まず、ステップＳ１１において、保持部３７１にアクセスし、着信報告に含まれる電話番号に基づいて、当該電話番号に付与されている属性情報である緊急度を読み取る。次いで、ステップＳ１２において、着信報知制御部３７３は、走行情報取得部３７２が取得した走行情報を収集する。【０１７１】
次に、ステップＳ１３において、着信報知制御部３７３が、着信報知を行う利用報知部を選択する。かかる利用報知部の選択に際して、着信報知制御部３７３は、第１実施例における携帯電話装置２００Ａの着信報知制御部２７３と同様に、収集した走行情報と、読み取った緊急度との組み合せに対応する報知部を、選択テーブル３７４（図５参照）から読み取る。そして、着信報知制御部３７３は、読み取られた報知部を、利用報知部として選択する。【０１７２】
引き続き、ステップＳ１４において、着信報知制御部３７３が、ステップＳ１３において利用報知部が選択されたか否かを判定する。この判定の結果が否定的であった場合（ステップＳ１４：Ｎ）には、車両ＣＲの運転者に対する着信報知を行わないで、今回の着信に対する着信関連情報の報知処理が終了する。【０１７３】
一方、ステップＳ１４における判定の結果が肯定的であった場合（ステップＳ１４：Ｙ）には、処理はステップＳ１５へ進む。ステップＳ１５では、着信報知制御部３７３が、選択された利用報知部へ向けて送信する報知指令を生成する。そして、着信報知制御部３７３は、生成された報知指令を利用報知部へ送信する。【０１７４】
かかる報知指令の生成及び送信に際して、携帯電話装置２００Ｂが備える報知部（「Ａ：表示部２４２」、「Ｂ：着信案内用スピーカ２４１」、「Ｃ：振動部２４３」）を利用報知部として選択したときには、着信報知制御部３７３は、選択された利用報知部に対応する報知指令を生成し、ＴＩＦ３８０を介して、携帯電話装置２００Ｂへ送信する。【０１７５】
また、ナビゲーション装置３００Ｂが備える報知部（「Ｄ：表示部３４０」、「Ｅ：音出力部３３０」）、ナビゲーション装置３００Ｂに接続される報知部（「Ｆ：ヘッドアップディスプレイ表示部４１０」、「Ｇ：シート振動部４２０」）を利用報知部として選択したときには、着信報知制御部３７３は、選択された利用報知部に対応する報知指令を生成し、当該選択された報知部へ送信する。【０１７６】
この結果、選択された利用報知部から、着信に関する情報が、車両ＣＲの運転者に報知される。【０１７７】
携帯電話装置２００Ｂへの着信があるごとに、上記のステップＳ１１〜Ｓ１５の処理が実施されて、着信関連情報の報知処理が行われる。【０１７８】
以上説明したように、本第２実施例では、携帯電話装置２００Ｂに着信があると、携帯電話装置２００Ｂが、着信に際しての発信元の電話番号を含む着信報告を、ＮＩＦ２９０を介して、ナビゲーション装置３００Ｂの着信処理装置３７０へ送る。着信報告を受けた着信処理装置３７０では、着信報知制御部３７３が、走行情報取得部３７２により取得された走行情報を収集するとともに、保持部３７１にアクセスし、着信報告に含まれる電話番号に基づいて、当該電話番号に付与されている属性情報である緊急度を読み取る。【０１７９】
引き続き、着信報知制御部３７３は、上述した第１実施例の場合と同様にして、収集した走行情報と、読み取った緊急度との組み合せに対応する報知部を、選択テーブル３７４から読み取り、当該読み取られた報知部を、利用報知部として選択する。【０１８０】
こうして車両ＣＲの運転者に対して着信報知を行う利用報知部が選択されると、着信報知制御部３７３は、着信に関連する情報を含む報知指令を、当該選択された利用報知部へ送信する。選択された利用報知部は、当該報知指令を受けると、車両ＣＲの運転者に対して、着信に関する情報の報知を行う。【０１８１】
このため、車両ＣＲへの搭乗中に携帯電話装置２００Ｂへ着信があった際に、車両ＣＲの走行状態や着信の緊急度に対応した着信報知を行うことができ、車両操作の安全性をより高めることができる。【０１８２】
したがって、本第２実施例によれば、上述した第１実施例と同様に、車両の運転者に対して、携帯電話装置への着信に関連する情報を適切に報知することができる。【０１８３】
［実施例の変形］
本発明は、上記の実施例に限定されるものではなく、様々な変形が可能である。【０１８４】
例えば、上記の第１及び２実施例では、着信処理装置の構成要素が全て車両ＣＲに配置されるようにしたが、車両ＣＲの搭載される端末装置と通信可能なサーバ装置が、着信処理装置の構成要素の全部又は一部を備えるようにしてもよい。【０１８５】
また、本発明の通信処理装置は、上記の第１実施例では携帯電話装置に実装され、上記の第２実施例ではナビゲーション装置に実装されることとした。これに対して、本発明の通信処理装置を単独の装置として構成するようにしてもよいし、音響装置等の他の車載装置に本発明の通信処理装置の機能を実装するようにしてもよい。【０１８６】
また、上記の第１及び２実施例では、有線通信用のケーブルを介して、携帯電話装置とナビゲーション装置との間のデータ授受を行うようにした。これに対して、無線通信を利用して、携帯電話装置とナビゲーション装置との間のデータ授受を行うようにしてもよい。【０１８７】
また、上記の第１及び第２実施例において利用報知部を選択する際に参照した選択テーブルは一例であって、図５に示された内容と異なるものであってもよい。【０１８８】
また、上記の第１及び第２実施例では、着信報知制御部は、携帯電話装置へ着信があったときの走行情報に基づき、選択テーブルを参照して利用報知部を選択するようにした。これに対して、送信部は、走行情報取得部による取得結果に基づいて、着信報知中に、選択テーブルから選択すべき利用報知部が変更になったと判断した場合には、新たな少なくとも１つの利用報知部の選択を行い、それまで利用報知部による着信報知を中止し、着信に関連する情報を当該新たに選択された利用報知部へ送信するようにしてもよい。【０１８９】
また、上記の第１及び第２実施例では、着信報知制御部は、緊急度の高い発信者からの携帯電話装置へ着信があったときには、着信に関する情報を利用選択部へ送信するようにした。これに対して、安全走行時に着信報知を行うという観点から、着信報知制御部は、携帯電話装置へ着信があったときの車両の速度が所定値以上の場合には、選択された利用報知部への着信に関連する情報の送信を行わず、その後、車両の速度が所定値未満になったときに、選択された利用報知部へ着信を履歴として送信するようにしてもよい。【０１９０】
ここで、「所定値」は、交通安全上の観点から、例えば、走行する道路の法定速度を参考にして、実験、シミュレーション、経験等に基づいて、予め定められる。【０１９１】
また、上記の第１及び第２実施例における地図情報には、事故多発地点等に関する走行地域情報が含まれるようにし、着信処理装置が、車両の走行地域情報を取得する走行地域情報取得部を更に備えるようにしてもよい。この場合には、着信報知制御部は、携帯電話装置へ着信があったときに、走行地域情報取得部により取得された走行地域情報に基づき車両が事故の多い地点を走行していると判断されたときには、選択された利用報知部への着信に関連する情報の送信を行わず、その後、車両が当該事故の多い地点を通過したと判断されたときに、選択された利用報知部へ着信を履歴として送信するようにしてもよい。【０１９２】
かかる「速度が所定値以上の場合には着信報知を行わない」構成、及び、「事故の多い地点を走行していると判断された場合には信報知を行わない」構成を採用し、車両が危険な状態にあると推定される場合の着信報知を行わないようにすることにより、車両の操作に際しての安全をより高めるとともに、事後的にではあるが、着信があったことを確実に報知することができる。【０１９３】
また、ナビゲーション装置の表示部を利用して映画鑑賞を行っている場合や、ヘッドアップディスプレイ部を利用して地上デジタル放送の視聴を行っているとき等、複数の報知部のそれぞれの機能の現時点における着信報知以外での利用状態に更に基づいて、利用報知部を選択するようにしてもよい。【０１９４】
例えば、ナビゲーション装置の表示部を利用して映画鑑賞を行っている場合に、緊急度の高い発信者から携帯電話装置への着信があったときには、当該表示部に着信に関する情報を表示し、緊急度の低い発信者から携帯電話装置への着信があったときには、当該表示部以外の報知部を利用して着信報知を行うようにしてもよい。【０１９５】
また、上記の第１及び第２実施例では、表示部２４２を備える携帯電話装置は、前方中央部のダッシュボード付近に配置され、ナビゲーション装置が備える表示部３４０はインストルメントパネル付近に配置されることとしたが、これらの報知部を、車室内空間の他の箇所に配置するようにしてもよい。【０１９６】
また、上記の第１及び第２実施例では、運転者に対して着信報知を行う報知部として、携帯電話装置が備える「着信案内用スピーカ２４１」、「表示部２４２」、「振動部２４３」に加え、「音出力部３３０」、「表示部３４０」、「ヘッドアップディスプレイ表示部４１０」、「シート振動部４２０」を用意した。これに対して、報知部の数を２個以上に減らしてもよいし、着信報知の態様の異なる報知部を増やすようにしてもよい。【０１９７】
また、上記の第１及び第２実施例では、電話番号登録部には、通信相手の電話番号が、氏名、グループ等に関連付けられて登録されているとしたが、通信相手の電子メールアドレス等の他の通信識別子を更に登録するようにしてもよい。例えば、電話番号登録部に電子メールアドレスが登録されている場合には、報知部は、電子メールの着信に関する情報を、車両の運転者に対して報知するようにしてもよい。【０１９８】
また、上記の実施例では、電気自動車に搭載される装置に本発明を適用したが、ハイブリッド車やガソリン車、ディーゼル車等に搭載される装置に本発明を適用することができるのは、勿論である。【０１９９】
なお、上記の第１及び第２実施例では、着信報知制御部２７３，３７３がプログラムの実行により、着信関連情報の報知処理を行うようにしたが、着信報知制御部の全部又は一部を、専用のＬＳＩ（Large Scale Integrated circuit）等を用いたハードウェアにより行うようにしてもよい。【０２００】
また、着信報知制御部２７３，３７３が実行するプログラムは、ＣＤ−ＲＯＭ，ＤＶＤ等の可搬型記録媒体に記録された形態で取得されるようにしてもよいし、インターネットなどのネットワークを介した配信の形態で取得されるようにしてもよい。
【図１】
2013098924.tif 000003
【図２】
2013098924.tif 000004
【図３】
2013098924.tif 000005
【図４】
2013098924.tif 000006
【図５】
2013098924.tif 000007
【図６】
2013098924.tif 000008
【図７】
2013098924.tif 000009
【図８】
2013098924.tif 000010
【図９】
2013098924.tif 000011
【図１０】
2013098924.tif 000012
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
音により着信報知を行う複数の報知部、表示により着信報知を行う気付きやすさの異なる複数の報知部、振動により着信報知を行う気付きやすさの異なる複数の報知部を利用して着信処理を行う着信処理装置であって、
移動体の走行に関する走行情報を取得する走行情報取得部と；
移動通信端末に登録された通信相手の通信識別子に対応付けて、前記通信識別子により識別される通信相手の属性を付与した属性情報を保持する保持部と；
前記移動体への搭乗中に前記移動通信端末へ着信があったときに、前記着信に際して発信元の通信識別子に付与されている属性情報、及び、前記着信の時点での前記移動体の走行に関連する走行情報に基づき、前記移動体内に配置された複数の報知部の中から少なくとも１つの利用報知部の選択又は利用報知部の非選択を行い、前記少なくとも１つの利用報知部を選択した場合、前記着信に関連する情報を前記選択された利用報知部へ送信する送信部と；を備え、
前記属性情報には、利用者により設定された着信報知の緊急度が含まれ、
前記送信部は、
前記走行情報取得部による取得結果に基づいて、前記複数の報知部のそれぞれから前記着信に関連する情報が報知された場合の前記着信報知の気付き度及び危険度を評価し、
前記評価された気付き度及び危険度、並びに、前記着信報知の緊急度に基づいて、前記少なくとも１つの利用報知部の選択又は前記利用報知部の非選択を行い、
前記少なくとも１つの利用報知部の選択に際して、
前記緊急度が高い場合には、危険度を高くしないことを確保しつつ、気付き度を高める報知部を前記利用報知部として選択し、
前記緊急度が低い場合には、危険度を低くすることを確保しつつ、気付き度を高める報知部を前記利用報知部として選択する、
ことを特徴とする着信処理装置。
【請求項２】
前記送信部は、前記走行情報取得部による取得結果に基づいて、前記気付き度及び前記危険度の少なくとも一方が変化したと判断した場合には、新たな少なくとも１つの利用報知部の選択を行い、前記着信に関連する情報を前記新たに選択された利用報知部へ送信する、ことを特徴とする請求項１に記載の着信処理装置。
【請求項３】
前記送信部は、前記複数の報知部のそれぞれの機能の現時点における前記着信報知以外での利用状態に更に基づいて、前記気付き度を評価する、ことを特徴とする請求項１又は２に記載の着信処理装置。
【請求項４】
前記走行情報には、前記移動体の速度が含まれ、
前記送信部は、前記移動通信端末へ着信があったときの前記移動体の速度が所定値以上の場合には、前記選択された利用報知部への前記着信に関連する情報の送信を行わず、その後、前記移動体の速度が前記所定値未満になったときに、前記選択された利用報知部へ前記着信を履歴として送信する、ことを特徴とする請求項１〜３のいずれか一項に記載の着信処理装置。
【請求項５】
前記移動体の走行地域情報を取得する走行地域情報取得部を更に備え、
前記送信部は、前記移動通信端末へ着信があったときに、前記走行地域情報取得部により取得された走行地域情報に基づき前記移動体が事故の多い地点を走行していると判断された場合には、前記選択された利用報知部への前記着信に関連する情報の送信を行わず、その後、前記移動体が前記事故の多い地点を通過したと判断されたときに、前記選択された利用報知部へ前記着信を履歴として送信する、ことを特徴とする請求項１〜４のいずれか一項に記載の着信処理装置。
【請求項６】
前記報知部は、前記着信に関連する情報を、音出力、表示出力及び振動のいずれかで報知する、ことを特徴とする請求項１〜５のいずれか一項に記載の着信処理装置。
【請求項７】
前記通信識別子は、電話番号である、ことを特徴とする請求項１〜６のいずれか一項に記載の着信処理装置。
【請求項８】
移動通信端末に登録された通信相手の通信識別子に対応付けて、前記通信識別子により識別される通信相手の属性を付与した属性情報を保持する保持部を備え、音により着信報知を行う複数の報知部、表示により着信報知を行う気付きやすさの異なる複数の報知部、振動により着信報知を行う気付きやすさの異なる複数の報知部を利用して着信処理を行う着信処理装置において使用される着信処理方法であって、
移動体の走行に関する走行情報を取得する走行情報取得工程と；
前記移動体への搭乗中に前記移動通信端末へ着信があったときに、前記着信に際して発信元の通信識別子に付与されている属性情報、及び、前記着信の時点での前記移動体の走行に関連する走行情報に基づき、前記移動体内に配置された複数の報知部の中から少なくとも１つの利用報知部の選択又は利用報知部の非選択を行い、前記少なくとも１つの利用報知部を選択した場合、前記着信に関連する情報を前記選択された利用報知部へ送信する送信工程と；を備え、
前記属性情報には、利用者により設定された着信報知の緊急度が含まれ、
前記送信工程では、
前記走行情報取得工程における取得結果に基づいて、前記複数の報知部のそれぞれから前記着信に関連する情報が報知された場合の前記着信報知の気付き度及び危険度を評価し、
前記評価された気付き度及び危険度、並びに、前記着信報知の緊急度に基づいて、前記少なくとも１つの利用報知部の選択又は前記利用報知部の非選択を行い、
前記少なくとも１つの利用報知部の選択に際して、
前記緊急度が高い場合には、危険度を高くしないことを確保しつつ、気付き度を高める報知部を前記利用報知部として選択し、
前記緊急度が低い場合には、危険度を低くすることを確保しつつ、気付き度を高める報知部を前記利用報知部として選択する、
ことを特徴とする着信処理方法。
【請求項９】
請求項８に記載の着信処理方法を演算部に実行させる、ことを特徴とする着信処理プログラム。
【請求項１０】
請求項９に記載の着信処理プログラムが、演算部により読み取り可能に記録されている、ことを特徴とする記録媒体。
【手続補正２】
【補正対象書類名】明細書
【補正対象項目名】０００９
【補正方法】変更
【補正の内容】
【０００９】
本発明は、第１の観点からすると、音により着信報知を行う複数の報知部、表示により着信報知を行う気付きやすさの異なる複数の報知部、振動により着信報知を行う気付きやすさの異なる複数の報知部を利用して着信処理を行う着信処理装置であって、移動体の走行に関する走行情報を取得する走行情報取得部と；移動通信端末に登録された通信相手の通信識別子に対応付けて、前記通信識別子により識別される通信相手の属性を付与した属性情報を保持する保持部と；前記移動体への搭乗中に前記移動通信端末へ着信があったときに、前記着信に際して発信元の通信識別子に付与されている属性情報、及び、前記着信の時点での前記移動体の走行に関連する走行情報に基づき、前記移動体内に配置された複数の報知部の中から少なくとも１つの利用報知部の選択又は利用報知部の非選択を行い、前記少なくとも１つの利用報知部を選択した場合、前記着信に関連する情報を前記選択された利用報知部へ送信する送信部と；を備え、前記属性情報には、利用者により設定された着信報知の緊急度が含まれ、前記送信部は、前記走行情報取得部による取得結果に基づいて、前記複数の報知部のそれぞれから前記着信に関連する情報が報知された場合の前記着信報知の気付き度及び危険度を評価し、前記評価された気付き度及び危険度、並びに、前記着信報知の緊急度に基づいて、前記少なくとも１つの利用報知部の選択又は前記利用報知部の非選択を行い、前記少なくとも１つの利用報知部の選択に際して、前記緊急度が高い場合には、危険度を高くしないことを確保しつつ、気付き度を高める報知部を前記利用報知部として選択し、前記緊急度が低い場合には、危険度を低くすることを確保しつつ、気付き度を高める報知部を前記利用報知部として選択する、ことを特徴とする着信処理装置である。
【手続補正３】
【補正対象書類名】明細書
【補正対象項目名】００１０
【補正方法】変更
【補正の内容】
【００１０】
本発明は、第２の観点からすると、移動通信端末に登録された通信相手の通信識別子に対応付けて、前記通信識別子により識別される通信相手の属性を付与した属性情報を保持する保持部を備え、音により着信報知を行う複数の報知部、表示により着信報知を行う気付きやすさの異なる複数の報知部、振動により着信報知を行う気付きやすさの異なる複数の報知部を利用して着信処理を行う着信処理装置において使用される着信処理方法であって、移動体の走行に関する走行情報を取得する走行情報取得工程と；前記移動体への搭乗中に前記移動通信端末へ着信があったときに、前記着信に際して発信元の通信識別子に付与されている属性情報、及び、前記着信の時点での前記移動体の走行に関連する走行情報に基づき、前記移動体内に配置された複数の報知部の中から少なくとも１つの利用報知部の選択又は利用報知部の非選択を行い、前記少なくとも１つの利用報知部を選択した場合、前記着信に関連する情報を前記選択された利用報知部へ送信する送信工程と；を備え、前記属性情報には、利用者により設定された着信報知の緊急度が含まれ、前記送信工程では、前記走行情報取得工程における取得結果に基づいて、前記複数の報知部のそれぞれから前記着信に関連する情報が報知された場合の前記着信報知の気付き度及び危険度を評価し、前記評価された気付き度及び危険度、並びに、前記着信報知の緊急度に基づいて、前記少なくとも１つの利用報知部の選択又は前記利用報知部の非選択を行い、前記少なくとも１つの利用報知部の選択に際して、前記緊急度が高い場合には、危険度を高くしないことを確保しつつ、気付き度を高める報知部を前記利用報知部として選択し、前記緊急度が低い場合には、危険度を低くすることを確保しつつ、気付き度を高める報知部を前記利用報知部として選択する、ことを特徴とする着信処理方法である。
【国際調査報告】
2013098924.tif 000013
2013098924.tif 000014
2013098924.tif 000015
2013098924.tif 000016